(57)【要約】      （修正有）【課題】吊柱部材を外周面に設けられた係合部に調整材の係止部が所定角度で配列して係止するパネルの保持装置の提供。【解決手段】吊柱金具１とその先端部にパネル等の端部の挿入口を有する調整材９とからなり、吊柱金具１は複数の吊柱部材と吊柱部材内に挿通されるスリーブとスリーブの中央に挿通される通しボルトからなり、複数の吊柱部材の外周面には１又は２以上の係合部と調整材９の基端部には係合部の係止部を設けるとともに、吊柱部材はその外周面に設けられた係合部に調整材９の係止部が所定角度で配列して係止する。【選択図】図４
2015031041.tif 000002
【特許請求の範囲】
【請求項１】
吊柱金具とその先端部にパネル等の端部の挿入口を有する調整材とからなり、吊柱金具は複数の吊柱部材と該吊柱部材内に挿通されるスリーブと該スリーブの中央に挿通される通しボルトからなり、上記複数の吊柱部材の外周面には１又は２以上の係合部と上記調整材の基端部には該係合部の係止部を設けるとともに、吊柱部材はその外周面に設けられた係合部に調整材の係止部が所定角度で配列して係止されるようにしたことを特徴とするパネルの保持装置。
【請求項２】
吊柱部材が四角柱部材であり、その４周面のうち１面又は複数面に係合部を設けた請求項１記載のパネルの保持装置。
【請求項３】
四角柱部材の外周面に設けられた係合部に調整材の係止部がＬ型に配列して係止されるようにした請求項1記載のパネルの保持装置。
【請求項４】
四角柱部材の外周面に設けられた係合部に調整材の係止部がＴ型に配列して係止されるようにした請求項1記載のパネルの保持装置。
【請求項５】
四角柱部材の外周面に設けられた係合部に調整材の係止部が十字型に配列して係止されるようにした請求項1記載のパネルの保持装置。
【請求項６】
吊柱部材が円柱部材であり、その外周に係合部を設けた請求項１記載のパネルの保持装置。
【発明の詳細な説明】
【技術分野】
【０００１】
本発明は、パネルをフレキシブルに、多様な角度で保持するようにした保持装置に関するものである。
【背景技術】
【０００２】
パネルの保持装置としては、壁面や屋根面において、フレーム材で区画された開口部に配置されるパネルの板厚が開口部毎に相違する場合1種類のガスケットと受け材の組み合わせによってパネルの板厚に対応するもの（特開2004-76419）。簡易に正確なパネル支持柱の位置出しができ、柱受け部材を設置した状態で、柱の固定位置の微調整を行うことができるパネル保持装置（特開2013-2225）等が知られている。
【０００３】
また、パネル相互をＬ型、Ｔ型、十字型に固定するには、相互のパネル端部にＬ型、Ｔ型、十字型金具を宛がいビス等で固定することが行われており、図１２は従来法によるＬ型パネル保持方法を模式的に示すものである。
【先行技術文献】
【特許文献】
【０００４】
【特許文献１】特開2004-76419
【特許文献２】特開2013-2225
【発明の概要】
【発明が解決しようとする課題】
【０００５】
しかし、このような固定方法では、パネルと固定部材直に固定されているため、地震等の揺れ時にパネルの動きが拘束され破損を起こすことがある。
【０００６】
そこで、本発明はパネルをフレキシブルに、且つ多様な角度で保持されるような保持装置を提案するものである。
【課題を解決するための手段】
【０００７】
本発明は吊柱金具とその先端部にパネルの端部の挿入口を有する調整材とからなり、吊柱金具は複数の吊柱部材と該吊柱部材内に挿通されるスリーブと該スリーブの中央に挿通される通しボルトからなり、上記複数の吊柱部材の外周面には１又は２以上の係合部と上記調整材の基端部には該係合部の係止部を設けるとともに、吊柱部材はその外周面に設けられた係合部に調整材の係止部が所定角度で配列して係止されるようにしたことを特徴とするパネルの保持装置を提案するものである。
【発明の効果】
【０００８】
即ち、本発明では吊柱金具の外周面に形成された係合部は調整材の基端部に形成された係止部に緩く結合されているため、パネル相互はフレキシブルに保持され、地震等の揺れ時にパネルの動きが拘束され破損を起こすことがない。
【０００９】
また、本発明では調整材を使用することにより調整スペースが確保されるため、パネルがフレキシブルに保持することができ、しかもパネルを取り付ける際の調整を容易にできる。
【００１０】
更に、本発明の吊柱金具は、その１面又は複数面に係合部を形成した吊柱部材を係合部の角度を違えてスリーブに取り付けることにより、Ｌ型、Ｔ型、十字型等の配列のパネル保持装置が容易に形成できる。
【図面の簡単な説明】
【００１１】
【図１】本発明で使用する吊柱金具の分解斜視図
【図２】これに使用する四角柱部材の上面図
【図３】本発明のＬ型パネル保持装置の組み立て状態の一例を示す斜視図
【図４】本発明の一例を示すＬ型パネル保持装置の断面図
【図５】同上の斜視図
【図６】本発明の他の一例を示すＴ型パネル保持装置の断面図
【図７】同上の斜視図
【図８】本発明の更に他の一例を示す十字型パネル保持装置の断面図
【図９】同上の斜視図
【図１０】円柱の吊柱金具を使用した本発明パネル保持装置の組み立て状態の一例を示す図
【図１１】これに使用する円柱部材の上面図
【図１２】従来法によるＬ型パネル保持方法を模式的に示す図
【発明を実施するための形態】
【００１２】
吊柱金具とその先端部にパネルの端部の挿入口を有する調整材とからなり、吊柱金具は複数の吊柱部材と該吊柱部材内に挿通されるスリーブと該スリーブの中央に挿通される通しボルトからなり、上記複数の吊柱部材の外周面には１又は２以上の係合部と上記調整材の基端部には該係合部の係止部を設けるとともに、吊柱部材はその外周面に設けられた係合部に調整材の係止部が所定角度で配列して係止されるようにしたパネルの保持装置。
【実施例１】
【００１３】
１は四角柱の吊柱金具、２は内部に突起３，・・・を有する複数の四角柱部材、４は四角柱部材２内に挿通されるスリーブ、５は通しボルトである。
【００１４】
スリーブ４は突起３，・・・に支持されて複数の四角柱部材３の中心に挿通され、通しボルト５はスリーブ４の中央に設けられた穴６より挿通されて吊柱金具１が構成される。なお、この実施例では四角柱部材２の内部に突起３，・・・を設けたが、スリーブ４の変更対応により突起３,・・・を設ける必要がない場合もある。
【００１５】
通しボルト５の上端部には上レールに固定される取付金具７が設けられ、下端部には四角柱部材２の底部を塞ぐ小口カバー８が設けられる。
【００１６】
９は板状の調整材で、その先端部にはパネル１０の端部挿入口１１が上下方向に形成され、また調整材９の底部は小口カバー８で塞がれ、１２は小口カバー８を取り付けるビスホール、１３はビスである。
【００１７】
パネル１０は挿入口１１より調整材９内に挿入されるが、調整材９を使用することにより調整スペースが確保され、パネル１１を取り付ける際の調整を容易にできる。なお、１４はパネル１０の吊り棒である。
【００１８】
一方、四角柱部材２，・・・の１面には係合突起１５が設けられ、調整材９の基端部には係合突起１５の係止溝１６が上下方向に形成されている。
【００１９】
四角柱の吊柱金具１と調整材９を組み合わせてＬ型のパネル１０の保持装置を構成するに際して、下段より上段に四角柱部材２，・・・を係合突起１５，・・・が互いに９０度の角度違いで配置されるように吊柱金具１を構成すれば、係合突起１５に係止される調整材９の間にはＬ型断面のパネルの保持装置が提供できる（図４、図５）。  
【００２０】
更に、図６、図７のように、四角柱部材２，・・・の係合突起１５，・・・がＴ型配列になるように角度違いで配置して吊柱金具１を構成すれば、係合突起１５に係止される調整材９の間にはＴ型断面のパネルの保持装置が提供できる。
【００２１】
また、図８、図９のように、四角柱部材２，・・・の係合突起１５，・・・が十字型配列になるように角度違いで配置して吊柱金具１を構成すれば、係合突起１５に係止される調整材９の間には十字型断面のパネルの保持装置が提供できる。
【００２２】
もちろん、各面に係合突起１５がそれぞれＬ型、Ｔ型、十字型に四角柱部材２を使用しても、係合突起１５に係止される調整材９の間にＬ型、Ｔ型、十字型断面のパネル保持装置が提供できる。
【実施例２】
【００２３】
この実施例では吊柱部材で円柱を構成した例を示す。円柱部材１７，・・・の外周には係合突起１５，・・・が設けられており、円柱部材１７の外周に設けられた互いに任意の角度で配列されるように円柱部材１７，・・・をスリーブ４に取り付ける。これにより調整材９を任意の角度で固定できるので、自由なデザインに対応ができる。
【産業上の利用可能性】
【００２４】
以上要するに、本発明はパネルをフレキシブルに保持でき、しかもパネル相互の角度調整に容易に対応できるため、特に防煙垂壁パネル用として好適なパネル保持装置を提供できる。
【符号の説明】
【００２５】
１は吊柱金具
２は四角柱部材  
３は突起    
４はスリーブ  
５は通しボルト
６は穴
７は取付金具
８は小口カバー
９は調整材
１０はパネル
１１はパネルの端部挿入口
１２はビスホール
１３はビス
１４はパネルの吊り棒
１５は係合突起
１６は係止溝
１７は円柱部材    
【図１】
2015031041.tif 000003
【図２】
2015031041.tif 000004
【図３】
2015031041.tif 000005
【図４】
2015031041.tif 000006
【図５】
2015031041.tif 000007
【図６】
2015031041.tif 000008
【図７】
2015031041.tif 000009
【図８】
2015031041.tif 000010
【図１０】
2015031041.tif 000011
【図１１】
2015031041.tif 000012
【図１２】
2015031041.tif 000013
【図９】
2015031041.tif 000014